(57)【要約】  本発明は、互いに隣接して隔置された複数の走行車線を各道路が備える、２つの多車線道路の交差点に位置する交通交差点であって、交差道路同士の表面エリアが重なり合う、交差点領域と、近接領域であって、その中で、交差点に接近する各道路が、車両を交差点のところで交差道路上に右折するように案内するための、少なくとも１つの右折車線、車両を交差点を通って同一道路上をまっすぐ移動するように案内するための、少なくとも１つの直進車線、および交差点を通ってまっすぐ移動する車両を受け入れるための、少なくとも１つの直進受入車線を画定する、近接領域とを備える、交通交差点を提供する。
2019516891.tif 000002
【特許請求の範囲】
【請求項１】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する少なくとも１つの道路が、
ｉ．車両を前記交差点のところで交差道路上に右折するように案内するための、少なくとも１つの右折車線、
ｉｉ．車両を前記交差点を通って同一道路上をまっすぐ移動するように案内するための、少なくとも１つの直進車線、および
ｉｉｉ．前記交差点を通ってまっすぐ移動する車両を受け入れるための、複数の直進受入車線
を画定する、近接領域と
を備え、
ｃ．前記右折車線が、遠位クロスオーバ帯を通り抜けることによって、前記近接領域内で前記直進車線から分離するように構成され、それによって、同一道路沿いに逆方向に前記交差点を通ってまっすぐ進行する車両が、前記右折車線と前記直進車線との間で直進受入車線に入るように案内され、
ｄ．前記直進車線が、車両を、前記交差点を越えて、前記交差点の反対側にある少なくとも１つまたは複数の直進受入車線に案内するように構成され、
ｅ．前記右折車線が、車両を、前記交差道路のうちの一方の前記右折車線から曲折して、前記交差道路のうちの他方上の受入直線車線に案内するように構成され、
ｆ．前記交通交差点が、歩行者を前記交差道路のうちの少なくとも一方の向こう側に案内するように構成された、歩行者横断路を画定し、前記複数の直進車線が、前記交差点領域に隣接して位置ずれ配置の形で終端して、前記直進車線の前記終端の前方に近位クロスオーバ帯を画定し、前記近位クロスオーバ帯が、右折車線から曲折して交差道路に入る車両に、前記近位クロスオーバ帯がその中にある道路を横断している歩行者を通り過ぎる多様な経路指定ルートを与えるように、構成される、
交通交差点。
【請求項２】
前記直進車線が、車両を、前記交差点を越えて、直線の形で、前記少なくとも１つまたは複数の直進受入車線に案内するように構成される、請求項１に記載の交通交差点。
【請求項３】
前記近接領域が、少なくとも１つの左折車線をさらに備え、前記少なくとも１つの左折車線が、車両を、前記交差点のところで交差道路上に左折するように案内するように構成される、請求項１または２に記載の交通交差点。
【請求項４】
前記左折車線が、車両を、前記交差道路のうちの一方の前記左折車線から曲折して、前記交差道路のうちの他方上の直進受入車線に入るように案内するように構成される、請求項３に記載の交通交差点。
【請求項５】
前記左折車線および前記直進車線が、前記交差点領域に隣接して位置ずれ配置の形で終端し、それにより、前記近位クロスオーバ帯のためのスペースがとれるように構成される、請求項３または４に記載の交通交差点。
【請求項６】
前記近接領域が、左折および直進併合車線を含み、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項１から５のいずれか一項に記載の交通交差点。
【請求項７】
前記近位クロスオーバ帯のある道路が、４車線道路である、請求項１から６のいずれか一項に記載の交通交差点。
【請求項８】
前記４車線道路の前記近接領域内で、前記道路が左折および直進併合車線、直進受入車線、ならびに右折車線を画定し、前記右折車線が、前記左折および直進併合車線から２車線幅離れて配設され、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項７に記載の交通交差点。
【請求項９】
前記遠位クロスオーバ帯が、車両をＵターンするように案内するように構成される、請求項１から８のいずれか一項に記載の交通交差点。
【請求項１０】
少なくとも１つの交差道路が、前記遠位クロスオーバ帯の遠位にあるとともに、車両を、少なくとも１つまたは複数の直進受入車線から前記遠位クロスオーバ帯をクロスオーバする車両に対して道を譲るように案内するように構成される、右折車線を画定する、請求項１から９のいずれか一項に記載の交通交差点。
【請求項１１】
前記近位クロスオーバ帯が実質的に三角形である、請求項１から１０のいずれか一項に記載の交通交差点。
【請求項１２】
前記交差点領域を通ってまっすぐ移動する車両が前記遠位クロスオーバ帯を横断できるようにするために、前記直進受入車線の各々が、車両を前記遠位クロスオーバ帯に案内するように構成される、請求項１から１１のいずれか一項に記載の交通交差点。
【請求項１３】
前記近接領域内の前記直進車線が、車両を前記交差点領域のところで交差道路上に左折するように案内するための、左折車線としても構成される、請求項１から１２のいずれか一項に記載の交通交差点。
【請求項１４】
前記交通交差点が、前記道路上の車両を前記交差点領域を通って安全に誘導するように構成された、視覚的信号伝達デバイスを備える、請求項１から１３のいずれか一項に記載の交通交差点。
【請求項１５】
前記視覚的信号伝達デバイスが、２つの動作モードのうちの一方において動作可能である、請求項１４に記載の交通交差点。
【請求項１６】
前記視覚的信号伝達デバイスが、進め状態、および止まれ状態において動作可能である、請求項１４または１５に記載の交通交差点。
【請求項１７】
前記視覚的信号伝達デバイスが、進め状態、止まれ状態、および徐行状態において動作可能である、請求項１４または１５に記載の交通交差点。
【請求項１８】
交差点全体の前記視覚的信号伝達デバイスが、２つの構成において動作可能である、請求項１６に記載の交通交差点。
【請求項１９】
交差点全体の前記視覚的信号伝達デバイスが、３つの構成において動作可能である、請求項１７に記載の交通交差点。
【請求項２０】
前記視覚的信号伝達デバイスが、歩行者を、前記近接領域のところで前記道路のうちの少なくとも一方の向こう側に安全に誘導するように構成される、請求項１４から１９のいずれか一項に記載の交通交差点。
【請求項２１】
前記近接領域が、
ａ．交差道路から右折する車両、および
ｂ．交差道路から左折する車両
から選択される一方または両方のものを受け入れ、案内するように構成された、少なくとも１つの曲折受入車線をさらに備える、請求項１から２０のいずれか一項に記載の交通交差点。
【請求項２２】
前記近接領域が複数の曲折受入車線を備える、請求項２１に記載の交通交差点。
【請求項２３】
前記右折車線が、前記遠位クロスオーバ帯を通り抜けることによって、前記近接領域内で残りの車線から分岐するように構成され、それによって、反対側から前記交差点を横切ってまっすぐ移動する車両を案内するための直進受入車線が、前記右折車線と前記直進車線との間に延在する、請求項１から２２のいずれか一項に記載の交通交差点。
【請求項２４】
前記遠位クロスオーバ帯に接近する前記近接領域内の車両および自転車から選択される１つまたは複数のものに視覚的に信号伝達するように構成された、中間視覚的信号伝達設備を備える、請求項１から２３のいずれか一項に記載の交通交差点。
【請求項２５】
前記中間視覚的信号伝達設備が、道路標示および信号伝達デバイスから選択される１つまたは複数のものである、請求項２４に記載の交通交差点。
【請求項２６】
前記信号伝達デバイスが交通信号灯である、請求項１から２５のいずれか一項に記載の交通交差点。
【請求項２７】
複数の自転車レーンを備える、請求項１から２６のいずれか一項に記載の交通交差点。
【請求項２８】
前記自転車レーンが、前記道路のうちの少なくとも一方に沿って、前記道路の脇に隣接して延在するように構成される、請求項２７に記載の交通交差点。
【請求項２９】
歩行者を前記交差道路のうちの少なくとも一方の向こう側に案内するように構成された、歩行者横断路を画定する、請求項１から２８のいずれか一項に記載の交通交差点。
【請求項３０】
自転車を前記交差道路のうちの少なくとも一方の向こう側に案内するように構成された、自転車横断路を画定する、請求項１から２９のいずれか一項に記載の交通交差点。
【請求項３１】
前記自転車横断路が、前記歩行者横断路に隣接して位置していた、請求項３０に記載の交通交差点。
【請求項３２】
前記自転車横断路のところで横断する自転車に信号伝達するように構成された、視覚的信号伝達設備を備える、請求項３１に記載の交通交差点。
【請求項３３】
前記遠位クロスオーバ帯が、前記交差点領域の遠位にあり、前記近位クロスオーバ帯が、前記交差点領域により近接している、請求項１から３２のいずれか一項に記載の交通交差点。
【請求項３４】
前記遠位クロスオーバ帯と前記近位クロスオーバ帯との間に延在する、少なくとも１つまたは複数の中間車線を備える、請求項１から３３のいずれか一項に記載の交通交差点。
【請求項３５】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する前記道路のうちの少なくとも１つが、
ｉ．車両を前記交差点のところで交差道路上に右折するように案内するための、少なくとも１つの右折車線、
ｉｉ．車両を、前記交差点を通ってまっすぐ移動するように、また前記交差点のところで左折するように案内するための、少なくとも１つの直進および左折併合車線
を画定する、近接領域と
を備え、
ｃ．前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と前記直進および左折併合車線との間で反対方向に直進受入車線に入るように案内され、
ｄ．前記交通交差点が、前記左折および直進併合車線に隣接して配設されるとともに、前記交差点を通ってまっすぐ移動しようとしている車両を受け入れるように構成される、近位クロスオーバ帯を画定し、それにより、前記交差点を通ってまっすぐ移動しようとしている前記車両が、前記左折および直進併合車線から左折しようとしている車両を追い越すことが可能になっている、
交通交差点。
【請求項３６】
前記近位クロスオーバ帯のある道路が、４車線道路である、請求項３５に記載の交通交差点。
【請求項３７】
前記４車線道路の前記近接領域内で、前記道路が左折および直進併合車線、直進受入車線、ならびに右折車線を画定し、前記右折車線が、前記左折および直進併合車線から２車線幅離れて配設され、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項３５または３６に記載の交通交差点。
【請求項３８】
左折車線および直進車線から選択される少なくとも１つまたは複数のものが、前記交差点領域に隣接して位置ずれ配置の形で終端し、それにより、前記近位クロスオーバ帯のためのスペースがとれるように構成される、請求項３５から３７のいずれか一項に記載の交通交差点。
【請求項３９】
前記交差道路のうちの少なくとも一方が複数の直進車線を備え、それらが、前記交差点領域に隣接して位置ずれ配置の形で終端し、それにより、近位クロスオーバ帯のためのスペースがとれるようになっており、前記近位クロスオーバ帯が、交差道路内の右折車線から曲折する車両に、前記近位クロスオーバ帯がその中にある道路を横断している歩行者を通り過ぎる多様な経路指定ルートを与えるように、構成される、請求項３５から３８のいずれか一項に記載の交通交差点。
【請求項４０】
前記近接領域が、車両を前記交差点のところで交差道路上に右折するように案内するための、少なくとも１つの右折車線を画定し、前記右折車線が、車両を、前記交差道路のうちの一方の前記右折車線から曲折して、前記交差道路のうちの他方上の受入直線車線に入るように案内するように構成される、請求項３５から３９のいずれか一項に記載の交通交差点。
【請求項４１】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する少なくとも１つの道路が、
ｉ．車両を前記交差点のところで交差道路上に右折するように案内するための、少なくとも１つの右折車線、
ｉｉ．車両を前記交差点のところで交差道路上に左折するように案内するための、少なくとも１つの左折車線、および
ｉｉｉ．車両を前記交差点を通って同一道路上をまっすぐ移動するように案内するための、複数の直進車線
を画定する、近接領域と
を備え、
ｃ．前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と直進車線との間を移動するように案内され、
ｄ．前記複数の直進車線が、前記交差点領域に隣接して位置ずれ配置の形で終端し、それにより、近位クロスオーバ帯のためのスペースがとれるようになっており、前記近位クロスオーバ帯が、交差道路内の右折車線から曲折する車両に、前記近位クロスオーバ帯がその中にある道路を横断している歩行者を通り過ぎる多様な経路指定ルートを与えるように、構成される、
交通交差点。
【請求項４２】
前記右折車線が、車両を、前記交差道路のうちの一方の前記右折車線から曲折して、前記交差道路のうちの他方上の受入直線車線に入るように案内するように構成される、請求項４１に記載の交通交差点。
【請求項４３】
前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と直進車線との間を移動するように案内される、請求項４１または４２に記載の交通交差点。
【請求項４４】
前記近位クロスオーバ帯が、前記交差点を通ってまっすぐ移動しようとしている車両を、前記左折車線から受け入れるように構成され、それにより、前記交差点を通ってまっすぐ移動しようとしている前記車両が、左折および直進併合車線から左折しようとしている車両を追い越すことが可能になっている、請求項４１から４３のいずれか一項に記載の交通交差点。
【請求項４５】
前記交通交差点が、左折および直進併合車線に隣接して配設されるとともに、前記交差点を通ってまっすぐ移動しようとしている車両を受け入れるように構成される、近位クロスオーバ帯を画定し、それにより、前記交差点を通ってまっすぐ移動しようとしている前記車両が、左折および直進併合車線から左折しようとしている車両を追い越すことが可能になっている、請求項４１から４４のいずれか一項に記載の交通交差点。
【請求項４６】
前記近位クロスオーバ帯のある道路が、４車線道路である、請求項４５に記載の交通交差点。
【請求項４７】
前記４車線道路の前記近接領域内で、前記道路が左折および直進併合車線、直進受入車線、ならびに右折車線を画定し、前記右折車線が、前記左折および直進併合車線から２車線幅離れて配設され、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項４６に記載の交通交差点。
【発明の詳細な説明】
【技術分野】
【０００１】
本発明は、交通交差点、交通を誘導するためのシステム、およびそのための方法に関する。
【０００２】
本発明は、主として交通交差点、および渋滞した道路上の交通流において／に関して使用するために開発されたものであり、本発明については以下に、この応用に即して説明する。しかし、本発明はこの特定の使用分野に限定されないということが理解されよう。
【背景技術】
【０００３】
世界中のますます多くの大都市が、交通渋滞の増加を招いている。ますますより多くの車両数に対処するために、より多くの車線を有するより大型の道路が、設計され、作り出されつつある。
【０００４】
しかし、それぞれに多くの車線を有するそのようなより大型の道路が交差するところで、交通流は、交通信号灯における長い待ち時間によって遮断されることがある。これは典型的には、異なる側から接近する車、およびさまざまな異なる方向に曲折する、またはまっすぐ進行する車のために処理すべき信号の、さまざまな組合せおよび順列全てに対して、車が待たなければならないことによって生じる。
【０００５】
これらの長い待ち時間が、混雑した道路上にさらなる渋滞を生み出すことがある。
【０００６】
さらに、歩行者交通が交差点をクロスオーバする必要のある大型交差点において、大量の歩行者交通が渋滞を生み出すことがある。
【０００７】
本明細書において任意の従来技術情報に言及する場合、そのような言及は、その情報がオーストラリアまたは他の任意の国において当技術分野に共通の一般知識の部分を成す、ということを認めることにはならないことを理解されたい。
【発明の概要】
【発明が解決しようとする課題】
【０００８】
本発明は、従来技術の欠点の少なくとも一部を克服し、もしくは実質的に改善する、交通交差点、交通を誘導するためのシステム、およびそのための方法を提供しようとし、または一代替手段を少なくとも提供しようとするものである。
【課題を解決するための手段】
【０００９】
（左側運転道路の場合）本発明の第１の態様によれば、本発明は、大まかに、互いに隣接して隔置された複数の走行車線を各道路が備える、２つの多車線道路の交差点に位置する交通交差点であって、
ａ）交差道路同士の表面エリアが重なり合う、交差点領域と、
ｂ）近接領域であって、その中で、交差点に接近する各道路が、
ｉ）車両を交差点のところで交差道路上に右折するように案内するための、少なくとも１つの右折車線、
ｉｉ）車両を交差点を通って同一道路上をまっすぐ移動するように案内するための、少なくとも１つの直進車線、および
ｉｉｉ）交差点を通ってまっすぐ移動する車両を受け入れるための、少なくとも１つの直進受入車線
を画定する、近接領域と
を備え、
ｃ）右折車線が、遠位クロスオーバ帯を通り抜けることによって、近接領域内で直進車線から分離するように構成され、それによって、同一道路沿いに逆方向に交差点を通ってまっすぐ進行する車両が、右折車線と直進車線との間で直進受入車線に入るように案内され、
ｄ）直進車線が、車両を、交差点を越えて、交差点の反対側にある少なくとも１つまたは複数の直進受入車線に案内するように構成され、
ｅ）右折車線が、車両を、交差道路のうちの一方の右折車線から曲折して、交差道路のうちの他方上の受入直線車線に入るように案内するように構成される、
交通交差点にある、と述べることができる。
【００１０】
一実施形態では、直進車線が、車両を、交差点を越えて、直線の形で、前記少なくとも１つまたは複数の直進受入車線に案内するように構成される。
【００１１】
一実施形態では、近接領域が、車両を交差点のところで交差道路上に左折するように案内するように構成された、少なくとも１つまたは複数の左折車線をさらに備える。
【００１２】
一実施形態では、左折車線が、車両を、交差道路のうちの一方の左折車線から曲折して、交差道路のうちの他方上の直進受入車線に入るように案内するように構成される。
【００１３】
一実施形態では、左折車線および直進車線から選択される少なくとも１つまたは複数のものが、交差点領域に隣接して位置ずれ配置の形で終端し、それにより、近位クロスオーバ帯のためのスペースがとれるように構成される。
【００１４】
一実施形態では、交差道路のうちの少なくとも一方が複数の直進車線を備え、それらが、交差点領域に隣接して位置ずれ配置の形で終端し、それにより、近位クロスオーバ帯のためのスペースがとれるようになっており、近位クロスオーバ帯が、交差道路内の右折車線から曲折する車両が、近位クロスオーバ帯がその中にある道路を横断している歩行者をよけるために多様な経路指定ルートをとることを可能にするように、構成される。
【００１５】
一実施形態では、近接領域が、左折および直進併合車線を画定し、近位クロスオーバ帯が、左折および直進併合車線に隣接して配設されるとともに、交差点を通ってまっすぐ移動しようとしている車両を受け入れるように構成され、それにより、交差点を通ってまっすぐ移動しようとしている車両が、左折および直進併合車線から左折しようとしている車両を追い越すことが可能になっている。
【００１６】
一実施形態では、近位クロスオーバ帯のある道路が、４車線道路である。
【００１７】
一実施形態では、４車線道路の近接領域内で、道路が左折および直進併合車線、直進受入車線、ならびに右折車線を画定し、右折車線が、左折および直進併合車線から２車線幅離れて配設され、近位クロスオーバ帯が、左折および直進併合車線に隣接して配設されるとともに、交差点を通ってまっすぐ移動しようとしている車両を受け入れるように構成され、それにより、交差点を通ってまっすぐ移動しようとしている車両が、左折および直進併合車線から左折しようとしている車両を追い越すことが可能になっている。
【００１８】
一実施形態では、遠位クロスオーバ帯が、車両をＵターンするように案内するように構成される。
【００１９】
一実施形態では、少なくとも１つの交差道路が、遠位クロスオーバ帯の遠位にあるとともに、車両を、少なくとも１つまたは複数の直進受入車線から遠位クロスオーバ帯をクロスオーバする車両に対して道を譲るように案内するように構成される、右折車線を画定する。
【００２０】
一実施形態では、左折車線および直進車線から選択される少なくとも１つまたは複数のものが、交差点領域に隣接して位置ずれ配置の形で終端し、それにより、近位クロスオーバ帯のためのスペースがとれるように構成される。
【００２１】
一実施形態では、近位クロスオーバ帯が実質的に三角形に構成される。
【００２２】
一実施形態では、近位クロスオーバ帯が、交差道路内の右折車線から曲折する車両が、近位クロスオーバ帯がその中にある道路を横断している歩行者をよけるために多様な経路指定ルートをとることを可能にするように、構成される。
【００２３】
一実施形態では、交差点領域を通ってまっすぐ移動する車両が遠位クロスオーバ帯を横断できるようにするために、直進受入車線の各々が、車両を遠位クロスオーバ帯に案内するように構成される。
【００２４】
一実施形態では、近接領域内の直進車線が、車両を交差点領域のところで交差道路上に左折するように案内するための、左折車線としても構成される。
【００２５】
一実施形態では、交通交差点が、道路上の車両を交差点領域を通って安全に誘導するように構成された、視覚的信号伝達デバイスを備える。
【００２６】
一実施形態では、視覚的信号伝達デバイスが、２つの動作モードのうちの一方において動作可能である。
【００２７】
一実施形態では、視覚的信号伝達デバイスが、進め状態、および止まれ状態において動作可能である。
【００２８】
一実施形態では、視覚的信号伝達デバイスが、進め状態、止まれ状態、および徐行状態において動作可能である。
【００２９】
一実施形態では、交差点全体の視覚的信号伝達デバイスが、２つの構成において動作可能である。
【００３０】
一実施形態では、交差点全体の視覚的信号伝達デバイスが、３つの構成において動作可能である。
【００３１】
一実施形態では、視覚的信号伝達デバイスが、歩行者を、近接領域のところで道路のうちの少なくとも一方の向こう側に安全に誘導するように構成される。
【００３２】
一実施形態では、近接領域が、
ｆ）交差道路から右折する車両、および
ｇ）交差道路から左折する車両
から選択される一方または両方のものを受け入れ、案内するように構成された、少なくとも１つの曲折受入車線をさらに備える。
【００３３】
一実施形態では、近接領域が複数の曲折受入車線を備える。
【００３４】
一実施形態では、右折車線が、遠位クロスオーバ帯を通り抜けることによって、近接領域内で残りの車線から分岐するように構成され、それによって、反対側から交差点を横切ってまっすぐ移動する車両を案内するための直進受入車線が、右折車線と直進車線との間に延在する。
【００３５】
一実施形態では、交通交差点が、遠位クロスオーバ帯に接近する近接領域内の車両および自転車から選択される１つまたは複数のものに視覚的に信号伝達するように構成された、中間視覚的信号伝達設備を備える。
【００３６】
一実施形態では、中間視覚的信号伝達設備が、道路標示および信号伝達デバイスから選択される１つまたは複数のものである。
【００３７】
一実施形態では、信号伝達デバイスが交通信号灯である。
【００３８】
一実施形態では、交通交差点が複数の自転車レーンを備える。
【００３９】
一実施形態では、自転車レーンが、道路のうちの少なくとも一方に沿って、道路の脇に隣接して延在するように構成される。
【００４０】
一実施形態では、交通交差点が、歩行者を交差道路のうちの少なくとも一方の向こう側に案内するように構成された、歩行者横断路を画定する。
【００４１】
一実施形態では、交通交差点が、自転車を交差道路のうちの少なくとも一方の向こう側に案内するように構成された、自転車横断路を画定する。
【００４２】
一実施形態では、自転車横断路が、歩行者横断路に隣接して位置していた。
【００４３】
一実施形態では、交通交差点が、自転車横断路のところで横断する自転車に信号伝達するように構成された、視覚的信号伝達設備を備える。
【００４４】
一実施形態では、遠位クロスオーバ帯が、交差点領域の遠位にあり、近位クロスオーバ帯が、交差点領域により近接している。
【００４５】
一実施形態では、交通交差点が、遠位クロスオーバ帯と近位クロスオーバ帯との間に延在する、少なくとも１つまたは複数の中間車線を備える。
【００４６】
一実施形態では、視覚的信号伝達設備がデバイスである。
【００４７】
一実施形態では、視覚的信号伝達設備が交通信号灯である。
【００４８】
一実施形態では、交通交差点が、遠位クロスオーバ帯に隣接して位置する１つまたは複数のバスストップベイ（bus stop bay）を備える。
【００４９】
別の態様によれば、本発明は、大まかに、互いに隣接して隔置された複数の走行車線を各道路が備える、２つの多車線道路の交差点に位置する交通交差点であって、
ａ．交差道路同士の表面エリアが重なり合う、交差点領域と、
ｂ．近接領域であって、その中で、交差点に接近する道路のうちの少なくとも１つが、
ｉ．車両を交差点のところで交差道路上に右折するように案内するための、少なくとも１つの右折車線、
ｉｉ．車両を、交差点を通ってまっすぐ移動するように、また交差点のところで左折するように案内するための、少なくとも１つの直進および左折併合車線
を画定する、近接領域と
を備え、
ｃ．右折車線が、遠位クロスオーバ帯を通り抜けることによって、近接領域内で直進車線から分離するように構成され、それによって、同一道路沿いに逆方向に交差点を通ってまっすぐ進行する車両が、右折車線と直進および左折併合車線との間で反対方向に直進受入車線に入るように案内され、
ｄ．交通交差点が、左折および直進併合車線に隣接して配設されるとともに、交差点を通ってまっすぐ移動しようとしている車両を受け入れるように構成される、近位クロスオーバ帯を画定し、それにより、交差点を通ってまっすぐ移動しようとしている車両が、左折および直進併合車線から左折しようとしている車両を追い越すことが可能になっている、
交通交差点にある、と述べることができる。
【００５０】
一実施形態では、近位クロスオーバ帯のある道路が、４車線道路である。
【００５１】
一実施形態では、４車線道路の近接領域内で、道路が左折および直進併合車線、直進受入車線、ならびに右折車線を画定し、右折車線が、左折および直進併合車線から２車線幅離れて配設され、近位クロスオーバ帯が、左折および直進併合車線に隣接して配設されるとともに、交差点を通ってまっすぐ移動しようとしている車両を受け入れるように構成され、それにより、交差点を通ってまっすぐ移動しようとしている車両が、左折および直進併合車線から左折しようとしている車両を追い越すことが可能になっている。
【００５２】
一実施形態では、左折車線および直進車線から選択される少なくとも１つまたは複数のものが、交差点領域に隣接して位置ずれ配置の形で終端し、それにより、近位クロスオーバ帯のためのスペースがとれるように構成される。
【００５３】
一実施形態では、交差道路のうちの少なくとも一方が複数の直進車線を備え、それらが、交差点領域に隣接して位置ずれ配置の形で終端し、それにより、近位クロスオーバ帯のためのスペースがとれるようになっており、近位クロスオーバ帯が、交差道路内の右折車線から曲折する車両が、近位クロスオーバ帯がその中にある道路を横断している歩行者をよけるために多様な経路指定ルートをとることを可能にするように、構成される。
【００５４】
一実施形態では、近接領域が、車両を交差点のところで交差道路上に右折するように案内するための、少なくとも１つの右折車線を画定し、右折車線が、車両を、交差道路のうちの一方の右折車線から曲折して、交差道路のうちの他方上の受入直線車線に入るように案内するように構成される。
【００５５】
一実施形態では、交通交差点が、遠位クロスオーバ帯に隣接して位置する１つまたは複数のバスストップベイを備える。
【００５６】
別の態様によれば、本発明は、互いに隣接して隔置された複数の走行車線を各道路が備える、２つの多車線道路の交差点に位置する交通交差点であって、
ａ．交差道路同士の表面エリアが重なり合う、交差点領域と、
ｂ．近接領域であって、その中で、交差点に接近する各道路が、
ｉ．車両を交差点のところで交差道路上に右折するように案内するための、少なくとも１つの右折車線、
ｉｉ．車両を交差点のところで交差道路上に左折するように案内するように構成された、少なくとも１つの左折車線、
ｉｉｉ．車両を交差点を通って同一道路上をまっすぐ移動するように案内するための、複数の直進車線
を画定する、近接領域と、
を備え、
ｃ．右折車線が、遠位クロスオーバ帯を通り抜けることによって、近接領域内で直進車線から分離するように構成され、それによって、同一道路沿いに逆方向に交差点を通ってまっすぐ進行する車両が、右折車線と直進車線との間を移動するように案内され、
ｄ．複数の直進車線が、交差点領域に隣接して位置ずれ配置の形で終端し、それにより、近位クロスオーバ帯のためのスペースがとれるようになっており、近位クロスオーバ帯が、交差道路内の右折車線から曲折する車両が、近位クロスオーバ帯がその中にある道路を横断している歩行者をよけるために多様な経路指定ルートをとることを可能にするように、構成される、
交通交差点にある、と述べることができる。
【００５７】
一実施形態では、右折車線が、車両を、交差道路のうちの一方の右折車線から曲折して、交差道路のうちの他方上の受入直線車線に入るように案内するように構成される。
【００５８】
一実施形態では、右折車線が、遠位クロスオーバ帯を通り抜けることによって、近接領域内で直進車線から分離するように構成され、それによって、同一道路沿いに逆方向に交差点を通ってまっすぐ進行する車両が、右折車線と直進車線との間を移動するように案内される。
【００５９】
一実施形態では、近位クロスオーバ帯が、交差点を通ってまっすぐ移動しようとしている車両を、左折車線から受け入れるように構成され、それにより、交差点を通ってまっすぐ移動しようとしている車両が、左折および直進併合車線から左折しようとしている車両を追い越すことが可能になっている。
【００６０】
一実施形態では、交通交差点が、左折および直進併合車線に隣接して配設されるとともに、交差点を通ってまっすぐ移動しようとしている車両を受け入れるように構成される、近位クロスオーバ帯を画定し、それにより、交差点を通ってまっすぐ移動しようとしている車両が、左折および直進併合車線から左折しようとしている車両を追い越すことが可能になっている。
【００６１】
一実施形態では、近位クロスオーバ帯のある道路が、４車線道路である。
【００６２】
一実施形態では、４車線道路の近接領域内で、道路が左折および直進併合車線、直進受入車線、ならびに右折車線を画定し、右折車線が、左折および直進併合車線から２車線幅離れて配設され、近位クロスオーバ帯が、左折および直進併合車線に隣接して配設されるとともに、交差点を通ってまっすぐ移動しようとしている車両を受け入れるように構成され、それにより、交差点を通ってまっすぐ移動しようとしている車両が、左折および直進併合車線から左折しようとしている車両を追い越すことが可能になっている。
【００６３】
一実施形態では、交通交差点が、遠位クロスオーバ帯に隣接して位置する１つまたは複数のバスストップベイを備える。
【００６４】
別の態様によれば、本発明は、大まかに、上で説明した交通交差点に配備するための交通案内システムであって、
ａ．対向交通流を横切って曲折する車両に案内信号を表示することを含めて、両交差道路上の車両に案内信号を表示するように構成された、少なくとも１つまたは複数の視覚的信号伝達デバイスと、
ｂ．視覚的信号伝達デバイスの動作を２つの構成のうちの１つにおいて制御し、それにより、車両を交差点を横切って安全に移動するように案内するように構成された、制御システムと
を備える、交通案内システムにある、と述べることができる。
【００６５】
一実施形態では、制御システムが、視覚的信号伝達デバイスの動作を２つの構成のうちの一方において制御するように構成される。
【００６６】
一実施形態では、２つの構成が、
ａ．交差道路のうちの一方に沿った全ての車両に、交差点を横切ってまっすぐ移動するように、またそれらがいる道路から交差道路上に曲折するように信号伝達される構成、
ｂ．両交差道路に沿って移動する全ての車両が止められ、歩行者および自転車から選択される１つまたは複数のものに、交差道路を横断するように信号伝達される構成
から選択される１つまたは複数のものである。
【００６７】
一実施形態では、交通交差点が、遠位クロスオーバ帯に隣接して位置する１つまたは複数のバスストップベイを備える。
【００６８】
本発明の他の態様も開示される。
【００６９】
本発明の範囲に含まれ得る他のどんな形態があるとしても、本発明の好ましい実施形態について次に、ほんの一例として、添付の図面を参照して説明する。
【図面の簡単な説明】
【００７０】
【図１】車両が各道路上を両方向に移動し、視覚的信号伝達デバイスが第１の構成にある、６車線道路と６車線道路との交通交差点の概略図である。
【図２】車両が各道路上を両方向に移動し、視覚的信号伝達デバイスが第２の構成にある、６車線道路と６車線道路との交通交差点の第１の実施形態の概略図である。
【図３】車両が各道路上を両方向に移動し、視覚的信号伝達デバイスが第１の構成にある、４車線道路と４車線道路との交通交差点の第２の実施形態の概略図である。
【図４】車両が各道路上を両方向に移動し、視覚的信号伝達デバイスが、歩行者が横断するための第２の構成にある、４車線道路と４車線道路との交通交差点の第２の実施形態の概略図である。
【図５】車両が各道路上を両方向に移動し、視覚的信号伝達デバイスが第１の構成にある、６車線道路と４車線道路との交通交差点の第３の実施形態の概略図である。
【図６】車両が各道路上を両方向に移動し、視覚的信号伝達デバイスが第１の構成にある、４車線道路と２車線道路との交通交差点の第４の実施形態の概略図である。
【図７】車両が各道路上を両方向に移動し、視覚的信号伝達デバイスが第１の構成にある、４車線道路と３車線道路との交通交差点の第５の実施形態の概略図である。
【図８】車両が各道路上を両方向に移動し、視覚的信号伝達デバイスが第１の構成にある、６車線道路と３車線道路との交通交差点の第６の実施形態の概略図である。
【図９】車両が各道路上を両方向に移動し、視覚的信号伝達デバイスが第１の構成にある、６車線道路と２車線道路との交通交差点の第７の実施形態の概略図である。
【図１０】車両が各道路上を両方向に移動し、視覚的信号伝達デバイスが第１の構成にある、１０車線道路と６車線道路との交通交差点の第８の実施形態の概略図である。
【図１１】交差道路に入る車両が歩行者を通り過ぎて移動するために有するさまざまな経路指定オプションを例示する、図１０の交通交差点の第８の実施形態のクローズアップ概略図である。
【図１２】自転車通路および自転車横断路を含む、６車線道路と３車線道路との交通交差点の第９の実施形態の概略図である。
【図１３】視覚的信号伝達デバイスが第３の構成にある、図１に示す交通交差点の第１の実施形態の概略図である。
【図１４】６車線道路上にある、バスストップがその両側に配設された遠位クロスオーバ帯の概略図である。
【図１５】相互に交通を案内するように構成された４つの交通交差点の概略図である。
【図１６】３車線道路上にある、バスストップがその両側に配設された遠位クロスオーバ帯の概略図である。
【図１７】近接領域と、４車線道路上にある、バスストップがその両側に配設された遠位クロスオーバ帯との概略図である。
【図１８】ストリート番号を表示するように印付けされた歩行者横断路を示す、交差点領域および近接領域のクローズアップ概略図である。
【発明を実施するための形態】
【００７１】
以下の説明では、異なる実施形態における同様または同一の参照番号は、同一または類似の特徴を表すことに留意されたい。
【００７２】
交通交差点
本発明について説明する目的で、本発明の交差点および交通案内システムについて、車両に道路の左手側を運転するように求める道路法に即して説明する。しかし、本発明は、「右」という語への言及があればそれを「左」という語と交換し、「左」という語への言及があればそれを「右」という語と交換すること、および示した図を鏡写しすることによって、車両が道路の右手側を運転する諸国で稼働可能な交差点に対しても、また車両が道路の右手側を運転する諸国で稼働可能な交通案内システムを使用しても、同様に効果的に遂行できることが理解されよう。
【００７３】
ここで説明する一実施形態では、交通交差点１０００が提供される。交通交差点１０００は、２つの多車線道路１１００の交差点に位置する。各道路は、下でより詳細に説明するように、複数の走行車線を備える。各走行車線は、場合によってはそれらの間に防護柵（safety barrier）および／または安全地帯（pedestrian island）をとって、互いに隣接して隔置される。
【００７４】
交通交差点１０００は、交差道路同士の表面エリアが実質的に重なり合う、交差点領域１２００と、交差点領域１２００に近接して位置する、近接領域１３００とを備える。近接領域１３００は、車両を交差点のところで交差道路１１００上に右折するように案内するための、右折車線１３１０を含む。近接領域１３００はさらに、車両を交差点を通って同一道路１１００上をまっすぐ移動するように案内するための、直進車線１３２０を含む。これらの２つの車線だけが、車両を対向する方向に移動させる第１の道路と、車両を一方向だけに移動させる第２の道路との交差点に必要である。
【００７５】
しかし、交差点が、それぞれが車両を対向する方向に移動させる２つの道路の交差点である場合、直進車線１３２０は、図３および図４に示すように、直進および左折併合車線１３２５として、車両を交差道路１１００上に左折するように案内するように構成することができ、またはその代わりにかつ／もしくはそれに加えて、左折車線１３３０を特にその目的のために設けることもできる。
【００７６】
好ましい一実施形態では、近接領域１３００は、反対側から交差点領域１２００を越えてまっすぐ移動する車両を受け入れるための、好ましくは、交差道路から左折または右折して近接領域１３００に入る車両を受け入れるための、１つまたは複数の受入車線１３４０をさらに備える。
【００７７】
近接領域１３００がさらに、好ましくは、交差道路１１００から左折した後に交差点領域１２００の中を横切った車両を受け入れるための、少なくとも１つまたは複数の左折受入車線（図示せず）、ならびに交差道路１１００を右折した後に交差点領域１２００の中を横切った車両を受け入れるための、少なくとも１つまたは複数の右折受入車線（図示せず）を備えることができることが、企図される。しかし、そのような左折受入車線および右折受入車線は、交通交差点にさらなる車線要件を追加するので、好ましくない。
【００７８】
重要なことには、車両を遠位クロスオーバ帯１４００の中を案内することによって、右折車線１３１０は、近接領域１３００内で直進車線１３２０から分離するように構成される。交差点領域１２００を越えて進行してきた車両を案内するための受入車線１３４０が、交差点領域１２００から遠ざかって遠位クロスオーバ帯１４００に向かう車両を案内する。受入車線１３４０はまた、車両は反対方向に移動した状態ではあるが、右折車線１３１０と直進車線１３２０との間に延在する。
【００７９】
交差点領域１２００から離れて進行する車両は、受入車線１３４０によって遠位クロスオーバ帯１４００に案内され、そこで、少なくとも１つまたは複数の車両スペースを左に移動することによって、遠位クロスオーバ帯１４００をクロスオーバして、道路の左手側に戻る。
【００８０】
個々の車線について、機能ごとに１つの車線が必要であるかのように説明しているが、必ずしもそうである必要はないことが理解されよう。１つの車線が、例えばまっすぐ移動することも左折することもしたい車を案内するための車線として、またはまっすぐ移動することも右折することもしたい車を案内するための車線として、論理的に機能することができる場合、単一の車線を使用することができる。これらの例が、図中に示されている。
【００８１】
交差点領域１２００に向かって遠位クロスオーバ帯１４００に接近する、右折して交差道路に入りたい車両は、交通信号灯や道路標示などの視覚的信号伝達デバイス３１００によって、交差点領域１２００から到来する、受入車線内の車両に道を譲るように案内される。安全になった後、車両は遠位クロスオーバ帯１４００をクロスオーバして、好ましくは多車線道路の右端の車線に移る。
【００８２】
交通交差点１０００が、好ましくは、歩行者を、交差道路の各々を交差点領域１２００の両側で横切るように案内するように構成される、歩行者横断路２０００を含むことが、さらに企図される。
【００８３】
図１２に示す実施形態では、交通交差点１０００はさらに、好ましくは、各交差道路の脇に沿って延在する自転車通路４０００を備える。さらに、交通交差点は、好ましくは、サイクリストを、交差道路の各々を横切るように案内するように構成される、自転車横断路４１００を含む。
【００８４】
交通交差点１０００に交通案内システム３０００が装備され、交通案内システム３０００がコントローラ３２００を備え、コントローラ３２００が、好ましくは交通信号灯の形態をとる視覚的信号伝達デバイス３１００に接続するとともにそれを制御するように構成されることが、企図される。コントローラが、遠位クロスオーバ帯１４００および／または交差点領域１２００および／または近位クロスオーバ帯１５００の光景をコントロールセンタ（図示せず）に中継するように構成されたカメラ３３００に接続できることが、さらに企図される。これらのエリア内の交通を観察および記録できることによって、万一事故または類似のことが発生した場合であっても交通流を確保すべく、確実にクロスオーバ帯が空いている状態に維持され、クロスオーバ帯に車両のないようにするために、警察車両および緊急車両がすばやく派遣され得る。
【００８５】
好ましくは、少なくとも１つの視覚的信号伝達デバイス３１００が、交差点領域１２００の各側において、右折車線、直進車線、左折車線、ならびに直進および左折併合車線（該当する場合）の各々に設けられる。視覚的信号伝達デバイス３１００は、車両に信号伝達するように構成されるのに加えて、歩行者横断路２０００上の歩行者および自転車横断路４１００上のサイクリストに信号伝達するようにも構成することができる。
【００８６】
好ましい一実施形態では、これらの視覚的信号伝達デバイス３１００が相互に、好ましくは、３つの構成のうちの１つにおいて動作可能である。
【００８７】
第１の構成が図１に示されており、この場合、交差道路のうちの一方上の車両が、視覚的信号伝達デバイスによって進むように視覚的に信号伝達されるとともに、交差道路のうちの他方上の車両が、視覚的信号伝達デバイスによって止まるように視覚的に信号伝達される。
【００８８】
それと同時に、車両が進むように信号伝達された交差道路を横切る歩行者横断路２０００に信号伝達する視覚的信号伝達デバイス３１００は、その道路を横断する歩行者に止まるように信号伝達する。同様に、車両が進むように信号伝達された交差道路を横切る自転車横断路４１００に信号伝達する視覚的信号伝達デバイスは、自転車に止まるように信号伝達する。
【００８９】
しかし、車両が止まるように信号伝達された交差道路を横切る歩行者横断路２０００および自転車横断路４１００に信号伝達する視覚的信号伝達デバイス３１００は、歩行者および自転車それぞれに進むように信号伝達する。
【００９０】
視覚的信号伝達デバイス相互の第２の構成は、上で説明した第１の構成とは全く逆であり、車両、歩行者、自転車がいずれも以前に止まるように信号伝達されていたなら、進むように信号伝達され、逆も同様である。
【００９１】
第３の構成の例が図８に、自転車横断路の例示なく示されているが、当業者には、自転車横断路４１００は、歩行者横断路２０００のそれらを鏡写しすることが理解されよう。この構成では、視覚的信号伝達デバイスが、両交差道路内の全ての車両に止まるように信号伝達するとともに、両交差道路上の歩行者横断路２０００（および自転車横断路４１００）が、進むように信号伝達される。
【００９２】
具体的には、車両を交差点のところで交差道路上に右折するように案内するための少なくとも１つの右折車線１３１０に信号伝達するために、視覚的信号伝達デバイス３１００が設けられる。さらに、車両を交差点領域１２００を越えて同一道路１１００上をまっすぐ移動するように案内するための少なくとも１つの直進車線１３２０に信号伝達するために、視覚的信号伝達デバイス３１２０が設けられる。
【００９３】
上で説明した交通交差点１０００で使用するために、右折車線１３１０内の車両を案内するための視覚的信号伝達デバイス３１００は、右折車線１３１０が直進車線１３２０から受入車線１３４０の少なくとも１車線だけ隔置されるので、好ましくは、直進車線１３２０に信号伝達する視覚的信号伝達デバイス３１００から少なくとも２車両間隔だけ距離を置かれる。
【００９４】
以前に論じたように、直進および左折併合車線１３２５が設けられる場合があることが予想される。したがって、関連する視覚的信号伝達デバイス３１００は、車両に、交差道路１１００上に左折するように、また交差点領域１２００を横切って直進するように、信号伝達するように構成することができる。
【００９５】
好ましい一実施形態では、コントローラが、視覚的信号伝達デバイス３１００の動作を、それらの止まれ状態、進め状態、および徐行状態の間で切り替えるように制御するように構成される。
【００９６】
コントローラは、好ましくは、デジタル記憶媒体３２１０から命令を受領するように構成されたプロセッサ（図示せず）、ならびにデジタル命令を記憶するように構成されたデジタル記憶媒体（図示せず）を備える。コントローラ（図示せず）は、好ましくは、ネットワーク３３００によって視覚的信号伝達デバイス３１００に接続され、またはそれに接続可能である。ネットワーク３３００は、ワイヤレスネットワークまたはハードワイヤードネットワークとすることができる。
【００９７】
一代替実施形態では、コントローラが遠隔に位置するとともに長距離ネットワークによって視覚的信号伝達デバイス３１００に接続できることが、企図される。ネットワーク３３００は、インターネットとすることができるが、これは好ましくはない。
【００９８】
ハードディスク、サーバセンタ、またはクラウドベースの記憶サーバなど、１つまたは複数のデジタル記憶媒体（図示せず）上に記憶される、好ましくはソフトウェアの形態をとるデジタル命令。
【００９９】
複数の交通案内システム３０００を、集中型コントローラによって制御でき、それにより、交通が複数の交通交差点１０００を通じてより最適なレベルで流れることが可能になることが、さらに企図される。一実施形態では、コントローラは、好ましくは視覚的信号伝達デバイス３１００がそれに従って制御されるアルゴリズムの形態をとるデジタル命令を記憶するための、デジタル記憶媒体を備える。
【０１００】
このようにして、車両同士が互いの経路を横断するエリアを交差点領域１２００から離れた距離のところに移動させることによって、交通流を横切って曲折する（例えば右折車線内の）車両によって生じる交通渋滞が消失する。
【０１０１】
全ての視覚的信号伝達デバイス３１００を２つ、または好ましくは３つの構成において動作させることによって、交通交差点のところで通常遭遇する多数の構成が繰り返す間、車両が交差点領域１２００を通って移動するその機会を待って費やす時間が少なくなる。例えば、３つの構成だけが使用される場合、それは、３分のうち丸１分が、交差点を横切って移動する車両、歩行者、および自転車の各々によって費やされることを意味する。同等サイズの従来の交通交差点では、５つの異なる構成が可能となり得ることが予想される。これには、
・車両が交差点を越えてまっすぐ移動する構成（交差道路ごとに×２）、
・車両が交差点領域を横切って左折する構成（交差道路ごとに×２）、
・車両が交差点領域を横切って右折する構成（交差道路ごとに×２）、
・交差道路上の全ての車両が、歩行者横断のために止められた構成
が含まれ得る。
【０１０２】
例えば、５つの異なる構成の場合、異なる曲折要件を有する車両の各組は、交差点領域を通って移動するためにおよそ２５秒（すなわち３分を５で割った商）しかもらえないことになる。したがって、本発明による交通交差点は、交差点を通るより多くの交通流を可能にする。さらに、３つの構成しか使用されないので、これにより、単一の道路に沿って隔置された視覚的信号伝達デバイス３１００の組を同期しようと試みる際の計算が簡単になる。
【０１０３】
このようにして、交通流を横切って曲折する車両を案内するために呈示されるさまざまな曲折構成を待って費やされる時間遅延が短縮し、それによって、時間間隔の増加が可能になること（これは、車両が停止状態にあって、または止まった状態から加速して費やされる時間の割合がより低いということを意味する）、および道路に沿った交通流がそれほど渋滞しなくなることが予想される。
【０１０４】
図中に示す実施形態では、右折車線１３１０および左折車線１３３０は、好ましくは、車両を受入車線１３４０に受け入れられるように案内し、受入車線１３４０は、視覚的信号伝達デバイス３１００が別の構成にあるときに、交差道路１１００のうちの他方上で交差点を横切って直進する車両のための受入車線としても機能する。車両の通過は、図中に参照矢印Ｖとして概して示されている。
【０１０５】
さらに、左折車線１３３０は、車両を、交差道路のうちの一方の左折車線から曲折して、交差道路のうちの他方上の受入車線１３４０に入るように案内するようにも構成される。
【０１０６】
図１、図２、図５、図８、図９、図１０、図１１、および図１２に示すように、左折車線１３３０および直進車線１３２０は、交差点領域１２００に隣接して配設される三角形形状の近位クロスオーバ帯１５００のためのスペースを空けて、交差点領域１２００に隣接して位置ずれ配置の形で終端するように構成される。近位クロスオーバ帯は、交差道路内の右折車線１３１０または左折車線１３３０から曲折して他方の交差道路の受入車線１３４０に入る車両に、近位クロスオーバ帯１５００がその中にある道路を横断している歩行者の周りを通過するために多様な経路を与えるように構成される。車両の通過は、図１１に参照矢印Ｖによって示されており、道路を横断する歩行者は、黒点Ｐとして示されている。
【０１０７】
図３に示す実施形態では、４車線道路が別の道路と交差する場合、典型的には、直進および左折併合車線１３２５が、交差点領域１２００に接近する最左車線として設けられる。この図中の近位クロスオーバ帯１５００は、左折および直進併合車線に隣接して配設される。近位クロスオーバ帯１５００は、交差点を通ってまっすぐ移動しようとし、かつ直進および左折併合車線１３２５から移ろうとしている車両を受け入れるように構成され、それにより、交差点を通ってまっすぐ移動しようとしている車両が、左折および直進併合車線から左折しようとしている車両を追い越すことが可能になっている。左折する車両は、受入用の最左受入車線１３４０に受け入れられ、一方、右折する車両は最右受入車線１３４０に受け入れられる。交差点を横切ってまっすぐ移動する車両は、近位クロスオーバ帯１５００から移動して、最左受入車線（交差道路から曲折する車両の視覚的信号伝達デバイス３１００がそれらの車両に止まるように信号伝達しているので、それらの車両によって使用中になっていないはずである）に受け入れられる。
【０１０８】
近位クロスオーバ帯１５００が、４を上回る車線を有する多車線道路１１００に使用できることが企図されるが、そのような場合、直進および左折用に別々のランドが設けられることになり、そのような要件は現実的意味のないものである。３車線を有する多車線道路１１００では、説明した機能を近位クロスオーバ帯１５００が有するのに十分なスペースがない。
【０１０９】
図中に示すように、遠位クロスオーバ帯１４００は、好ましくは、例えば道路１１００の幅一杯にわたって延在することによって、車両、特に大型車両をＵターンするように案内するように構成される。車両はその場合、遠位クロスオーバ帯１４００の遠位にある右折車線から遠位クロスオーバ帯１４００に入って、Ｕターンすることができる。Ｕターンをキャリーしている車両の例が、図１、図１４、図１６、および図１７に参照矢印Ｖによって示されている。遠位クロスオーバ帯の両側に１つまたは複数のバスストップベイ５０００をオプションで設けることによって、車両、特により長い車両が道路１１００上でＵターンを遂行できるようにすることが、それにより容易になることが、さらに企図される。図１６および図１７に示すように、道路の少なくとも右手側のバスストップベイ５０００が、それにより車両が右折車線からＵターンを遂行できるようになるので、好ましい。
【０１１０】
例えば、交通事故または他の緊急が、交差点領域１２００のところまたはその付近で発生した場合、交通交差点１０００が、それでもなお車両が右折または左折できるようにし、それにより、交通の完全停止が防がれることが企図される。緊急事態または類似のことにより、交差点領域１２００内で交通流が完全に停止になった場合、Ｕターンを遂行するための車両遠位クロスオーバ帯１４００が近位ゾーンに向かう流れおよび近位ゾーンから離れる流れを可能にすることが、企図される。そのような交通流は、例えば、緊急時公共サービスによって、緊急時公共サービス車両が渋滞した交通交差点に近づくのを可能にするため、また交通交差点がより速く片付けられることを可能にするためにも、使用され得る。
【０１１１】
バスストップベイ５０００が遠位クロスオーバ帯１４００の隣に設けられる場合、バスには道路に出て行くためのスペースがもたらされることが、さらに企図される。
【０１１２】
このようにして、また図１５を参照して、遠位クロスオーバ帯１４００を、より大きな格子状の交通交差点１０００において使用して、混乱した交差点領域１２００から交通をそらすことができることが、当業者には理解されよう。
【０１１３】
交通交差点の任意の部分に、ストリート番号、ストリート番号の増減の方向、または道路のアライメントの方向から選択される１つまたは複数のものを表示するように印付けできることが、さらに企図される。図１８に示す実施形態では、歩行者横断路が、歩行者がそれに向かって歩いているストリート番号を表示するように印付けされている。
【０１１４】
別の実施形態では、道路標示の方向矢印を、車両が向けられているコンパス方位に対応するように色分けできることが企図される。
【０１１５】
そのような標示の任意数の構成が可能であることが、当業者には理解されよう。
【０１１６】
解釈
〜に従って：
本明細書において説明したように、：〜に従っては、：〜に応じてを意味することもあり、必ずしもそれに関して指定された整数に限定されるとは限らない。
【０１１７】
データベース：
本文書の文脈では、データベースという用語およびその派生語は、単一のデータベース、データベースのセット、データベースのシステム、または同様のものについて言い表すために使用されることがある。データベースのシステムは、データベースのセットを備えることがあり、その場合、データベースのセットは、単一のインプリメンテーション上に格納されてもよく、複数のインプリメンテーションにわたって及んでもよい。データベースという用語はまた、ある一定のデータベースフォーマットを指すことに限定されるのではなく、任意のデータベースフォーマットを指すことがある。例えば、データベースフォーマットには、ＭｙＳＱＬ、ＭｙＳＱＬｉ、ＸＭＬ、または同様のものが含まれてよい。
【０１１８】
ワイヤレス：
本発明は、他のネットワーク標準規格に準拠するデバイスを使用して、例えば他のＷＬＡＮ標準規格および他のワイヤレス標準規格を含む他の応用向けに具現化することができる。対応することの可能な応用には、ＩＥＥＥ８０２．１１ワイヤレスＬＡＮおよびリンク、ならびにワイヤレスイーサネット（登録商標）が含まれる。
【０１１９】
本文書の文脈では、ワイヤレスという用語およびその派生語は、変調された電磁放射を使って非固体媒体を通じてデータを通信することのできる回路、デバイス、システム、方法、技法、通信チャネルなどを言い表すために使用されることがある。この用語は、関連するデバイスが、一部の実施形態ではそうかもしれないが、いかなるワイヤも含んでいない、ということを含意するものではない。本文書の文脈では、有線という用語およびその派生語は、変調された電磁放射を使って固体媒体を通じてデータを通信することのできる回路、デバイス、システム、方法、技法、通信チャネルなどを言い表すために使用されることがある。この用語は、関連するデバイスが導電性ワイヤによって結合される、ということを含意するものではない。
【０１２０】
プロセス：
特に別段の定めのない限り、以下の議論から明らかなように、本明細書全体を通して、処理する、コンピューティングする、計算する、決定する、解析する、または同様のものなどの用語を利用した議論は、電子量などの物理量として表現されるデータを操作し、かつ／またはそれを、物理量として同様に表現される他のデータに変換する、コンピュータもしくはコンピューティングシステム、または類似の電子コンピューティングデバイスの、アクションおよび／またはプロセスを指すことが理解されよう。
【０１２１】
プロセッサ：
同様に、プロセッサという用語は、例えばレジスタおよび／またはメモリからの電子データを処理して、その電子データを、例えばレジスタおよび／またはメモリ内に記憶されてよい他の電子データに変換する、任意のデバイスまたはデバイスの部分を指すことがある。コンピュータまたはコンピューティングデバイスまたはコンピューティングマシンまたはコンピューティングプラットフォームは、１つまたは複数のプロセッサを含んでよい。
【０１２２】
本明細書において説明した方法論は、一実施形態では、プロセッサのうちの１つまたは複数によって実行されると、本明細書において説明した方法のうちの少なくとも１つを遂行する命令のセットを含む、（マシン可読とも呼ばれる）コンピュータ可読コードを受け取る１つまたは複数のプロセッサによって実施可能である。とられるべきアクションを指定した命令のセット（順次のまたはその他の）を実行することの可能な任意のプロセッサが含まれる。したがって、一例は、１つまたは複数のプロセッサを含む典型的な処理システムである。処理システムは、メインＲＡＭおよび／もしくはスタティックＲＡＭならびに／またはＲＯＭを含むメモリサブシステムを、さらに含んでよい。
【０１２３】
コンピュータ可読媒体：
さらに、コンピュータ可読キャリア媒体は、コンピュータプログラム製品を成すか、またはそれに含まれてよい。コンピュータプログラム製品は、コンピュータ使用可能キャリア媒体上に記憶させることができ、コンピュータプログラム製品は、本明細書において説明した方法をプロセッサに実施させるコンピュータ可読プログラム手段を備える。
【０１２４】
ネットワーク接続したプロセッサまたはマルチプロセッサ：
代替実施形態では、１つまたは複数のプロセッサが、スタンドアロンデバイスとして動作してもよく、ネットワーク型配備において他のプロセッサ（複数可）に接続、例えばネットワーク接続されてもよく、１つまたは複数のプロセッサは、サーバ−クライアントネットワーク環境においてサーバもしくはクライアントマシンとして、またはピア−ツーピアもしくは分散型ネットワーク環境においてピアマシンとして、動作してよい。１つまたは複数のプロセッサは、ウェブアプライアンス、ネットワークルータ、スイッチもしくはブリッジ、または任意のマシンであって、そのマシンによってとられるべきアクションを指定した命令のセット（順次のもしくはその他の）を実行することの可能な任意のマシンを成してよい。
【０１２５】
一部の図は、単一のプロセッサ、およびコンピュータ可読コードを保持する単一のメモリしか示していないが、上で説明した構成要素の多くが、含まれはするものの本発明の態様を曖昧にしないために明示的に示しまたは説明されないことを、当業者なら理解するであろうことに留意されたい。例えば、単一のマシンしか例示されていないとはいえ、｀マシン＿という用語は、本明細書において論じた方法論のうちのいずれか１つまたは複数を実施するために命令のセット（または複数セット）を個々にまたは一緒に実行するマシンの任意の集合も含むと解釈されるものとする。
【０１２６】
追加実施形態：
したがって、本明細書において説明した方法の各々の一実施形態は、命令のセット、例えば、１つまたは複数のプロセッサ上で実行するためのコンピュータプログラムを保持する、コンピュータ可読キャリア媒体の形態をとる。したがって、当業者には理解されるように、本発明の実施形態は、方法、特殊目的装置などの装置、データ処理システムなどの装置、またはコンピュータ可読キャリア媒体として具現化することができる。コンピュータ可読キャリア媒体は、１つまたは複数のプロセッサ上で実行されると１つまたは複数のプロセッサに方法を実装させる命令のセットを含む、コンピュータ可読コードを保持する。したがって、本発明の態様は、方法、全体がハードウェアの実施形態、全体がソフトウェアの実施形態、またはソフトウェアの態様とハードウェアの態様とを組み合わせた実施形態の形態をとることができる。さらに、本発明は、媒体内に具現化されたコンピュータ可読プログラムコードを保持するキャリア媒体（例えば、コンピュータ可読記憶媒体上のコンピュータプログラム製品）の形態をとることができる。
【０１２７】
キャリア媒体：
ソフトウェアはさらに、ネットワークインターフェースデバイスを介してネットワーク経由で送信または受信されることがある。キャリア媒体は、一実施形態例では、単一の媒体であると示されるが、キャリア媒体という用語は、命令の１つまたは複数のセットを記憶する、単一の媒体または複数の媒体（例えば、集中型もしくは分散型データベース、ならびに／または関連するキャッシュもしくはサーバ）を含むと解釈すべきである。｀キャリア媒体＿という用語はまた、プロセッサのうちの１つまたは複数によって実行するための、１つまたは複数のプロセッサに本発明の方法論のうちのいずれか１つまたは複数を実施させる命令のセットを、記憶、符号化、または保持することの可能な任意の媒体を含むと解釈されるものとする。キャリア媒体は、不揮発性媒体、揮発性媒体、および伝送媒体を含むがそれらに限定されない、多くの形態をとることができる。
【０１２８】
実装：
論じた方法のステップが、一実施形態では、処理（すなわちコンピュータ）システムの適切な１つのプロセッサ（または複数のプロセッサ）が記憶装置内に記憶された命令（コンピュータ可読コード）を実行することによって実施されることが理解されよう。本発明がどんな特定の実装またはプログラミング技法にも限定されないこと、および本発明が、本明細書において説明した機能を実装するのに適したどんな技法を使用して実装されてもよいことも理解されよう。本発明は、どんな特定のプログラミング言語またはオペレーティングシステムにも限定されない。
【０１２９】
方法または機能を遂行するための手段
さらに、実施形態の一部は、本明細書において、プロセッサデバイス、コンピュータシステムのプロセッサによって、または機能を遂行する他の手段によって実装され得る、方法または方法の要素の組合せとして説明される。したがって、そのような方法または方法の要素を遂行するのに必要な命令を備えたプロセッサは、方法または方法の要素を遂行するための手段を成す。さらに、装置実施形態の、本明細書において説明した要素は、本発明を遂行する目的でその要素によって実施される機能を遂行するための手段の一例である。
【０１３０】
接続された
同様に、接続された、という用語は、特許請求の範囲において使用されるとき、直接接続のみに限定するものと解釈すべきではないことに留意されたい。したがって、デバイスＢに接続されたデバイスＡという表現の範囲は、デバイスＡの出力がデバイスＢの入力に直接接続されているデバイスまたはシステムに限定すべきではない。それが意味するのは、Ａの出力とＢの入力との間に経路があり、それが他のデバイスまたは手段を含む経路であり得る、ということである。接続された、は、２つ以上の要素が直接物理的もしくは電気的接触状態にあるか、または２つ以上の要素が互いに直接接触状態にないが、それでもなお互いに協働または相互作用していることを意味することができる。
【０１３１】
実施形態：
本明細書全体を通して、一実施形態（one embodiment）または一実施形態（an embodiment）に言及する場合、その実施形態に関して説明した特定の特徴、構造、または特性が、本発明の少なくとも１つの実施形態に含まれていることを意味する。したがって、一実施形態では（in one embodiment）または一実施形態では（in an embodiment）という句が、本明細書全体を通してさまざまな場所に現れる場合、必ずしも全てが同一実施形態に言及しているとは限らないが、同一実施形態に言及していることもある。さらに、特定の特徴、構造、または特性が、当業者には本開示から明らかなように、１つまたは複数の実施形態においてどんな適切な様式で組み合わされてもよい。
【０１３２】
同様に、本発明の実施形態例についての上の説明では、本開示を合理化し、本発明のさまざまな態様のうちの１つまたは複数の理解を助けることを目的として、本発明のさまざまな特徴が、単一の実施形態、図、またはその説明にまとめられることがある、ということを理解されたい。しかし、この開示方法は、特許請求の範囲に記載の発明が、各請求項に明示的に記述されるよりも多くの特徴を必要とするという意図を反映していると解釈すべきではない。そうではなく、添付の特許請求の範囲が反映するように、本発明の態様は、前述の開示した単一の実施形態の、一部の特徴にある。したがって、発明を実施するための形態（Detailed Description of Specific Embodiments）に続く特許請求の範囲はここで、各請求項が本発明の個別の実施形態としてそれ自体で成立した状態で、この発明を実施するための形態に明示的に組み込まれる。
【０１３３】
さらに、本明細書において説明した実施形態の中には、他の実施形態に含まれる一部の特徴は含むが他の特徴は含まないものがあるが、当業者には理解されるように、異なる実施形態の特徴の組合せは、本発明の範囲内にあること、および異なる実施形態を成すことが意図される。例えば、添付の特許請求の範囲では、特許請求の範囲に記載の実施形態のいずれも、どんな組合せでも使用することができる。
【０１３４】
具体的詳細
本明細書において行われる説明では、多くの具体的詳細が記載されている。しかし、本発明の実施形態は、これらの具体的詳細がなくても実践できることが理解されよう。他の場合には、本説明の理解を曖昧にしないために、よく知られた方法、構造、および技法については詳細に示されていない。
【０１３５】
専門用語
図面に例示した本発明の好ましい実施形態について説明する際に、明確にするために特定の専門用語が用いられる。しかし、本発明は、そのように選択された特定の用語に限定されるものではなく、特定の用語がそれぞれ、類似の技術的目的を達成するために同様に働くあらゆる技術的同義語を含むことを理解されたい。前方に、後方に、径方向に、周囲に、上方に、下方に、および同様のものなどの用語は、参照点を提供するのに好都合な語として使用されており、限定的な用語として解釈すべきではない。
【０１３６】
対象物の異なる実体
本明細書では、別段の指定のない限り、共通の対象物について説明するために第１の、第２の、第３のなどという序数を表す形容詞を使用することは、同様の対象物の異なる実体に言及しているということを意味するにすぎず、そのように説明された対象物が、時間的に、空間的に、序列として、または他の任意の様式で、所与の順番になっていなければならないことを含意するものではない。
【０１３７】
備えているおよび含んでいる
本発明の添付の特許請求の範囲および先の説明では、明示的な言語または必要な含意のため文脈上異なる解釈を必要とする場合を除き、備える（comprise）という語、または備える（comprises）もしくは備えている（comprising）などの変形が、包含的な意味において、すなわち述べられた特徴の存在を指定するが本発明のさまざまな実施形態におけるさらなる特徴の存在または追加を排除しないために、使用される。
【０１３８】
本明細書では、含んでいる（including）、または含む（which includes）、または含む（that includes）という用語のうちのいずれか１つも、やはりその用語に続く少なくとも要素／特徴を含んでいるが、他を除外しないことを意味する、オープンタームである。したがって、含んでいるは、備えていると同義であり、備えているを意味する。
【０１３９】
発明の範囲
したがって、本発明の好ましい実施形態であると考えられるものについて説明してきたが、本発明の趣旨から逸脱することなく他の修正およびさらなる修正をそれに加えることができることを、当業者なら認識し、かかる全ての変更および修正を、本発明の範囲に含まれるものとして特許請求することが意図される。例えば、上で与えられたどんな方式も、使用することのできる手順を表すにすぎない。機能が追加されてもよく、ブロック図から削除されてもよく、機能ブロックの間で動作が交換されてもよい。本発明の範囲内で、説明した方法にステップが追加されてもよく、削除されてもよい。
【０１４０】
本発明について、特定の例を参照して説明してきたが、本発明は他の多くの形態で具現化できることが、当業者には理解されよう。
【０１４１】
時系列
本明細書では、方法ステップが順番に説明される場合、その順番は必ずしも、順番を解釈する他の論理的様式がないという場合を除き、ステップがその順番に時系列に遂行されるべきであるということを意味するとは限らない。
【０１４２】
マーカッシュグループ
加えて、本発明の特徴または態様が、マーカッシュグループで表して説明される場合、本発明もそれにより、マーカッシュグループの任意の個々のメンバまたはメンバのサブグループで表して説明されることを、当業者なら認識されよう。
【産業上の利用可能性】
【０１４３】
上記から、説明した仕組みは交通管理産業に利用可能であることが明らかである。
【符号の説明】
【０１４４】
１０００  交通交差点
１１００  多車線道路、交差道路
１２００  交差点領域
１３００  近接領域
１３１０  右折車線
１３２０  直進車線
１３２５  直進および左折併合車線
１３３０  左折車線
１３４０  受入車線
１４００  遠位クロスオーバ帯
１５００  近位クロスオーバ帯
２０００  歩行者横断路
３０００  交通案内システム
３１００  視覚的信号伝達デバイス
３１２０  視覚的信号伝達デバイス
３２００  コントローラ
３２１０  デジタル記憶媒体
３３００  カメラ、ネットワーク
４０００  自転車通路
４１００  自転車横断路
５０００  バスストップベイ
Ｐ  黒点
Ｖ  参照矢印
【図１】
2019516891.tif 000003
【図２】
2019516891.tif 000004
【図３】
2019516891.tif 000005
【図４】
2019516891.tif 000006
【図５】
2019516891.tif 000007
【図６】
2019516891.tif 000008
【図７】
2019516891.tif 000009
【図８】
2019516891.tif 000010
【図９】
2019516891.tif 000011
【図１０】
2019516891.tif 000012
【図１１】
2019516891.tif 000013
【図１２】
2019516891.tif 000014
【図１３】
2019516891.tif 000015
【図１４】
2019516891.tif 000016
【図１５】
2019516891.tif 000017
【図１６】
2019516891.tif 000018
【図１７】
2019516891.tif 000019
【図１８】
2019516891.tif 000020
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する少なくとも１つの道路が、
ｉ．車両を前記交差点のところで交差道路上に右折するように案内するための、少なくとも１つの右折車線、
ｉｉ．車両を前記交差点を通って同一道路上をまっすぐ移動するように案内するための、少なくとも１つの直進車線、および
ｉｉｉ．前記交差点を通ってまっすぐ移動する車両を受け入れるための、複数の直進受入車線
を画定する、近接領域と
を備え、
ｃ．前記右折車線が、遠位クロスオーバ帯を通り抜けることによって、前記近接領域内で前記直進車線から分離するように構成され、それによって、同一道路沿いに逆方向に前記交差点を通ってまっすぐ進行する車両が、前記右折車線と前記直進車線との間で直進受入車線に入るように案内され、
ｄ．前記直進車線が、車両を、前記交差点を越えて、前記交差点の反対側にある少なくとも１つまたは複数の直進受入車線に案内するように構成され、
ｅ．前記右折車線が、車両を、前記交差道路のうちの一方の前記右折車線から曲折して、前記交差道路のうちの他方上の受入直線車線に案内するように構成され、
ｆ．前記交通交差点が、歩行者を前記交差道路のうちの少なくとも一方の向こう側に案内するように構成された、歩行者横断路を画定し、前記複数の直進車線が、前記交差点領域に隣接して位置ずれ配置の形で終端して、前記直進車線の前記終端の前方に近位クロスオーバ帯を画定し、前記近位クロスオーバ帯が、右折車線から曲折して交差道路に入る車両に、前記近位クロスオーバ帯がその中にある道路を横断している歩行者を通り過ぎる多様な経路指定ルートを与えるように、構成される、
交通交差点。
【請求項２】
前記直進車線が、車両を、前記交差点を越えて、直線の形で、前記少なくとも１つまたは複数の直進受入車線に案内するように構成される、請求項１に記載の交通交差点。
【請求項３】
前記近接領域が、少なくとも１つの左折車線をさらに備え、前記少なくとも１つの左折車線が、車両を、前記交差点のところで交差道路上に左折するように案内するように構成される、請求項１または２に記載の交通交差点。
【請求項４】
前記左折車線が、車両を、前記交差道路のうちの一方の前記左折車線から曲折して、前記交差道路のうちの他方上の直進受入車線に入るように案内するように構成される、請求項３に記載の交通交差点。
【請求項５】
前記左折車線および前記直進車線が、前記交差点領域に隣接して位置ずれ配置の形で終端し、それにより、前記近位クロスオーバ帯のためのスペースがとれるように構成される、請求項３に記載の交通交差点。
【請求項６】
前記近接領域が、左折および直進併合車線を含み、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項５に記載の交通交差点。
【請求項７】
前記近位クロスオーバ帯のある道路が、４車線道路である、請求項５に記載の交通交差点。
【請求項８】
前記４車線道路の前記近接領域内で、前記道路が左折および直進併合車線、直進受入車線、ならびに右折車線を画定し、前記右折車線が、前記左折および直進併合車線から２車線幅離れて配設され、前記近位クロスオーバ帯が、前記左折および直進併合車線に隣接して配設されるとともに、前記交差点を通ってまっすぐ移動しようとしている車両を受け入れるように構成され、それにより、前記交差点を通ってまっすぐ移動しようとしている前記車両が、前記左折および直進併合車線から左折しようとしている車両を追い越すことが可能になっている、請求項７に記載の交通交差点。
【請求項９】
少なくとも１つの交差道路が、前記遠位クロスオーバ帯の遠位にあるとともに、車両を、少なくとも１つまたは複数の直進受入車線から前記遠位クロスオーバ帯をクロスオーバする車両に対して道を譲るように案内するように構成される、右折車線を画定する、請求項１に記載の交通交差点。
【請求項１０】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する前記道路のうちの少なくとも１つが、
ｉ．車両を前記交差点のところで交差道路上に右折するように案内するための、少なくとも１つの右折車線、
ｉｉ．車両を、前記交差点を通ってまっすぐ移動するように、また前記交差点のところで左折するように案内するための、少なくとも１つの直進および左折併合車線
を画定する、近接領域と
を備え、
ｃ．前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と前記直進および左折併合車線との間で反対方向に直進受入車線に入るように案内され、
ｄ．前記交通交差点が、前記左折および直進併合車線に隣接して配設されるとともに、前記交差点を通ってまっすぐ移動しようとしている車両を受け入れるように構成される、近位クロスオーバ帯を画定し、それにより、前記交差点を通ってまっすぐ移動しようとしている前記車両が、前記左折および直進併合車線から左折しようとしている車両を追い越すことが可能になっている、
交通交差点。
【請求項１１】
前記近位クロスオーバ帯のある道路が、４車線道路である、請求項１０に記載の交通交差点。
【請求項１２】
左折車線および直進車線から選択される少なくとも１つまたは複数のものが、前記交差点領域に隣接して位置ずれ配置の形で終端し、それにより、前記近位クロスオーバ帯のためのスペースがとれるように構成される、請求項１０に記載の交通交差点。
【請求項１３】
前記交差道路のうちの少なくとも一方が複数の直進車線を備え、それらが、前記交差点領域に隣接して位置ずれ配置の形で終端し、それにより、近位クロスオーバ帯のためのスペースがとれるようになっており、前記近位クロスオーバ帯が、交差道路内の右折車線から曲折する車両に、前記近位クロスオーバ帯がその中にある道路を横断している歩行者を通り過ぎる多様な経路指定ルートを与えるように、構成される、請求項１０に記載の交通交差点。
【請求項１４】
互いに隣接して隔置された複数の走行車線を各道路が備える、２つの多車線道路の交差点に位置する交通交差点であって、
ａ．前記交差道路同士の表面エリアが重なり合う、交差点領域と、
ｂ．近接領域であって、その中で、前記交差点に接近する少なくとも１つの道路が、
ｉ．車両を前記交差点のところで交差道路上に右折するように案内するための、少なくとも１つの右折車線、
ｉｉ．車両を前記交差点のところで交差道路上に左折するように案内するための、少なくとも１つの左折車線、および
ｉｉｉ．車両を前記交差点を通って同一道路上をまっすぐ移動するように案内するための、複数の直進車線
を画定する、近接領域と
を備え、
ｃ．前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と直進車線との間を移動するように案内され、
ｄ．前記複数の直進車線が、前記交差点領域に隣接して位置ずれ配置の形で終端し、それにより、近位クロスオーバ帯のためのスペースがとれるようになっており、前記近位クロスオーバ帯が、交差道路内の右折車線から曲折する車両に、前記近位クロスオーバ帯がその中にある道路を横断している歩行者を通り過ぎる多様な経路指定ルートを与えるように、構成される、
交通交差点。
【請求項１５】
前記右折車線が、遠位クロスオーバ帯を通り抜けることによって、前記近接領域内で直進車線から分離するように構成され、それによって、同一道路沿いに逆方向に前記交差点を通ってまっすぐ進行する車両が、前記右折車線と直進車線との間を移動するように案内される、請求項１４に記載の交通交差点。
【請求項１６】
近位クロスオーバ帯が、左折および直進併合車線に隣接して配設されるとともに、前記交差点を通ってまっすぐ移動しようとしている車両を受け入れるように構成され、それにより、前記交差点を通ってまっすぐ移動しようとしている前記車両が、左折および直進併合車線から左折しようとしている車両を追い越すことが可能になっている、請求項１４に記載の交通交差点。
【請求項１７】
前記近位クロスオーバ帯のある道路が、４車線道路である、請求項１４に記載の交通交差点。
【国際調査報告】
2019516891.tif 000021
2019516891.tif 000022
2019516891.tif 000023
2019516891.tif 000024
2019516891.tif 000025